(57)【要約】【課題】すすぎ性能の向上を図ること。【解決手段】食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する残滓濾過フィルタとを備え、前記残滓濾過フィルタの捕集側には、仕切壁で仕切られた二つの残滓捕集室を設け、前記二つの残滓捕集室はそれぞれ流入口を有し、前記二つの残滓捕集室の流入口を開け閉めする回転扉を設けたことを特徴とする。【選択図】図１
2006122361.tif 000002
【特許請求の範囲】
【請求項１】
食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する残滓濾過フィルタとを備え、
前記残滓濾過フィルタの捕集側には、仕切壁で仕切られた複数の残滓捕集室を設け、
前記複数の残滓捕集室はそれぞれ流入口を有し、
前記複数の残滓捕集室の流入口を切り替える回転扉を設けたことを特徴とする食器洗い機。
【請求項２】
食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する残滓濾過フィルタとを備え、
前記残滓濾過フィルタの捕集側には、仕切壁で仕切られた二つの残滓捕集室を設け、
前記二つの残滓捕集室はそれぞれ流入口を有し、
前記二つの残滓捕集室の流入口を開閉する回転扉を設けたことを特徴とする食器洗い機。
【請求項３】
請求項２において、
前記二つの残滓捕集室の上側を塞ぐ開閉自在または着脱自在なる上蓋を設けたことを特徴とする食器洗い機。
【請求項４】
請求項２において、
前記残滓濾過フィルタの濾目穴サイズは一方の残滓捕集室では大きく、他方の残滓捕集室では小さいことを特徴とする食器洗い機。
【請求項５】
請求項４において、
洗浄工程では、前記濾目穴サイズが大きい残滓捕集室の流入口を開くように回転扉をセットし、すすぎ行程では前記濾目穴サイズが小さい残滓捕集室の流入口を開くように回転扉をセットすることを特徴とする食器洗い機。
【請求項６】
請求項２において、
前記残滓濾過フィルタは、前記集水部に取り外し自在に備わることを特徴とする食器洗い機。
【請求項７】
請求項２において、
前記仕切壁は、前記残滓濾過フィルタと一体であることを特徴とする食器洗い機。
【請求項８】
請求項２において、
前記回転扉を電動機で回動駆動することを特徴とする食器洗い機。
【請求項９】
請求項８において、
前記電動機が同期電動機であることを特徴する食器洗い機。
【請求項１０】
請求項９において、
前記電動機の運転制御は、時間管理により行うことを特徴とする食器洗い機。
【発明の詳細な説明】
【技術分野】
【０００１】
本発明は、洗浄に伴い出て来る残滓を捕集する残滓濾過フィルタが備わる食器洗い機の改良に係わるものである。
【背景技術】
【０００２】
食器洗い機は、例えば、特許文献１（特開２００３−２２０００５号公報）に示されるような構成を有する。
【０００３】
食器洗い機には、残滓濾過フィルタが備わる。洗浄水に含まれる残滓を捕集する残滓濾過フィルタは、洗浄槽の底側の集水部に設けられる。残滓濾過フィルタで、残滓が除かれた洗浄水は洗浄ポンプで加圧されて噴射ノズル体から再び洗浄槽内に噴射されて食器の洗浄が行われる。
【０００４】
【特許文献１】特開２００３−２２０００５号公報
【発明の開示】
【発明が解決しようとする課題】
【０００５】
洗浄運転工程、すすぎ運転工程を通じ、残滓濾過フィルタに捕集される残滓は、大部分が洗浄運転工程のもので、すすぎ運転工程で捕集される量は僅かである。すすぎ運転工程では、洗浄運転工程で捕集した残滓が溜まる残滓濾過フィルタのところにすすぎ水が流されるので、すすぎ性能が落ちる。
【０００６】
本発明は、上記の問題に鑑み、食器洗い機のすすぎ性能の向上を図ることを目的とする。
【課題を解決するための手段】
【０００７】
本発明は、食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する残滓濾過フィルタとを備え、前記残滓濾過フィルタの捕集側には、仕切壁で仕切られた二つの残滓捕集室を設け、前記二つの残滓捕集室はそれぞれ流入口を有し、前記二つの残滓捕集室の流入口を開け閉めする回転扉を設けたことを特徴とする。
【発明の効果】
【０００８】
本発明によれば、二つの残滓捕集室を洗浄工程とすすぎ工程で分けて使うことにより、すすぎが良く行われる。
【発明を実施するための最良の形態】
【０００９】
本発明の実施形態に係わる実施例について、図を引用して説明する。
【００１０】
まず、図１に沿って食器洗い機の概要を説明する。この食器洗い機は、卓上に置いて使用する形態のものである。
【００１１】
食器洗い機の外枠1内には、洗浄槽２が備わる。外枠1の前面には、各種のスイッチが備わる操作パネル3が設けられる。
【００１２】
洗浄槽２内には、食器かご（図示せず）が備わる。この食器かごに食器（図示せず）を載置して洗浄を行う。
【００１３】
洗浄槽２の内低部側には、噴射ノズル体４が備わる。噴射ノズル体４は、食器かごの下方に位置する。噴射ノズル体４は、上面側に複数のノズル４ａを有し、このノズル４ａより洗浄水を噴射する。
【００１４】
洗浄ポンプ（図示せず）は、洗浄槽２の下部に設けられ、加圧した洗浄水を噴射ノズル体４に供給する。
【００１５】
洗浄槽２は、底部にヒータ１１が配置されている水溜部５を有する。水溜部５の下流側には集水部６が設けられ、この集水部６には残滓濾過フィルタ７が備わる。残滓濾過フィルタ７は、図３に示すように、洗浄水の流入側が低くなるように傾けて置かれる。集水部６の底には、図３に示すように、通水路８に連通する排水口１２が設けられる。通水路８は、洗浄ポンプに連通するようにつながる。
【００１６】
残滓濾過フィルタ７の上面側である捕集側は、図２に示すように、仕切壁９により仕切られて二つの残滓捕集室２０Ａ，２０Ｂが形成される。残滓濾過フィルタ７は、集水部６に取り外し自在に備えられる。また仕切壁９は、残滓濾過フィルタ７と一体に形成されている。このため、二つの残滓捕集室２０Ａ，２０Ｂは、集水部６に取り外し自在である。仕切壁９は残滓捕集室２０Ａ，２０Ｂを着脱する際の取っ手にもなる。
【００１７】
残滓濾過フィルタ７は、中央に窪んだ残滓溜部２１を有する。この残滓溜部２１は仕切壁９により仕切られて、二つ(複数)の残滓捕集室２０Ａ，２０Ｂにそれぞれ分割される。
【００１８】
残滓捕集室２０Ａ側の残滓濾過フィルタ７に設けられる濾目穴２２のサイズは、径が１.５ｍｍである。これに対し、残滓捕集室２０Ｂ側の残滓濾過フィルタ７に設けられる濾目穴２３のサイズは、径が０.５ｍｍである。残滓捕集室２０Ａ側の濾目穴サイズが大きく、残滓捕集室２０Ｂ側の濾目穴サイズが小さいのである。
【００１９】
残滓捕集室２０Ａは洗浄行程で使用し、残滓捕集室２０Ｂはすすぎ行程で使用する。
【００２０】
残滓捕集室２０Ａと、残滓捕集室２０Ｂは、それぞれ流入口２４Ａ，２４Ｂを有する。仕切壁９に流入口側から奥側に向かって延在するように設けられるので、残滓捕集室２０Ａと、残滓捕集室２０Ｂは隣合わせになる。流入口側には、回転扉２５が設けられる。回転扉２５の回転支軸２６は仕切壁９の流入口側端部に位置するように設けられる。仕切壁９の流入口側端部には、回転支軸２６を回動自在に支持する回転扉用軸受２７が設けられる。
【００２１】
回転扉２５が、図２の実線で示すように、残滓捕集室２０Ｂに位置するようにセットされたときには、流入口２４Ｂが閉じられる。また、点線で示すように、回転扉２５が残滓捕集室２０Ａに位置するようにセットされたときには、流入口２４Ａが閉じられる。このように、回転扉２５を回すことによって、洗浄水を残滓捕集室２０Ａに入れたり、残滓捕集室２０Ｂに入れたり切り替えが行われる。回転扉２５は複数の流入口を切り替えるようにしている。
【００２２】
二つの残滓捕集室２０Ａ，Ｂの上側には、開閉自在なる上蓋２８が設けられる。この上蓋２８により、二つの残滓捕集室２０Ａ，Ｂの上側が塞がれるので、残滓捕集室２０Ａ，Ｂへの洗浄水の流入は、もっぱら流入口から行われるようになる。
【００２３】
上蓋２６は、食器洗い機の運転時には閉じて置かれ、残滓捕集室２０Ａ、残滓捕集室２０Ｂを脱着する際に開く。上蓋２８を開閉自在に支持する蝶番２９を設けないで、上蓋２８を着脱自在できるような構成にすることも可能である。
【００２４】
回転扉２５の駆動装置４０は、図３に示すように集水部６の下面側にねじ等で固定される。駆動装置４０の駆動軸４１は、回転扉２５の回転支軸２６に結合され、回転扉２５を駆動する。駆動軸４１に備える軸シール４２により、水漏れ防止が図られる。また、軸シール４２により、駆動装置４０の防水も図られる。
【００２５】
駆動装置４０は、図４に示すように、扉用電動機４３と、減速手段（図示せず）と、カム４４と、カムスイッチ４５とを有する。扉用電動機４３は、同期電動機を用いる。カム４４は、減速手段の出力軸に設ける。カム４４はカム突起４６を有する。カムスイッチ４５は操作レバー４７を有する。カム４４が回転することにより、操作レバー４７はカム突起４６によって動かされる。操作レバー４７の作動に応じてカムスイッチ４５はオン・オフする。減速手段の出力軸は、回転扉２５を駆動するところの駆動軸４１になる。
【００２６】
駆動装置４０の駆動により、回転扉２５は回される。食器洗い機の洗浄工程では、駆動装置４０が回転扉２５を駆動することにより、残滓捕集室２０Ｂの流入口２４Ｂが閉じられる。また、すすぎ工程では、駆動装置４０が回転扉２５を駆動することにより、残滓捕集室２０Ａの流入口２４Ａが閉じられる。
【００２７】
これにより、すすぎ工程では洗浄工程で使われていない別の残滓捕集室２０Ｂを使ってのすすぎになるため、洗浄工程での捕集残滓がなく、良くすすがれる。これに加え、残滓濾過フィルタ７は濾目穴サイズが小さいので、更に細かな残滓も捕集され、すすぎが更に良く行われる。
【００２８】
図５に沿い、ブロック制御回路について説明する。
【００２９】
制御手段（マイコン）６０は、入力手段６１、水温センサ６２、水位センサ６３、カムスイッチ４５の各種信号を演算処理して駆動制御手段６４を制御したり、表示手段６５の各種表示を制御する。電源回路６６は、商用電源の交流を低圧の直流に換えて制御手段５０に供給する。
【００３０】
駆動制御手段６４は、制御手段６０の制御指示により、給水弁６７、ポンプ用電動機６８、ヒータ１１、ファン用電動機６９、扉用電動機４３を駆動制御する。
【００３１】
図６に沿い、主に回転扉２５の駆動制御について説明する。
【００３２】
駆動装置４０の回動によりカム４４が回るので、カムスイッチ４５（原点位置センサ）は、オン・オフする。図６では、カムスイッチ４５のオンをもって検知信号とした。この検知信号は、回転扉２５が残渣捕集室２０Ｂ側に位置するときに出力される。
【００３３】
回転扉２５が残渣捕集室２０Ｂ側に位置するところと、回転扉２５が残渣捕集室２０Ａ側に位置するところの回転角度θは、１２０°である。カム４４の一回転（２π）で、Ｔ時間かかるとすると、回転扉２５が回転角度θ（２／３π）の範囲を移動する時間は１／３Ｔである。駆動装置４０の電動機は同期電動機であるので、時間管理の回転制御により、回転扉２５を正確な回転角度に駆動できる。駆動装置４０は、回転扉２５を１２０°の角度範囲で往復移動させるように正逆回転する。
【００３４】
洗浄工程では、回転扉２５が残渣捕集室２０Ｂ側に位置するところに置かれ、制御手段５０は、カムスイッチ４５のオン（検知信号）を受けて洗浄運転を指示する。
【００３５】
すすぎ工程では、回転扉２５が残渣捕集室２０Ａ側に位置するところに置かれる。駆動装置４０が１／３Ｔ時間運転すると、回転扉２５は残渣捕集室２０Ｂ側から残渣捕集室２０Ａ側に移動する。
【００３６】
駆動装置４０の回転は、回転扉２５を残渣捕集室２０Ｂ側から残渣捕集室２０Ａ側に移動させるときの回転方向を正転方向とする。逆に回転扉２５を残渣捕集室２０Ｂ側から残渣捕集室２０Ａ側に移動させるときには、駆動装置４０の回転は逆転方向になる。
【００３７】
このため、回転扉２５の残渣捕集室２０Ａ側から残渣捕集室２０Ｂ側への移動は、駆動装置４０の逆転により行われる。１／３Ｔ時間の運転により、カムスイッチ４５のオン（検知信号）が検知されるところで、駆動装置４０は停止する。
【００３８】
このように回転扉２５は、残渣捕集室２０Ａの流入口２４Ａ、および残渣捕集室２０Ｂの流入口２４Ｂを開け閉めするが、回転扉２５の作動操作は駆動装置の回転により行なわれるので、駆動機構が簡単である。また、回転扉２５を所定の位置に停止させる駆動装置の回転制御は、カムスイッチと時間管理によるので、カム形状の制約がなく、回転扉２５を任意に選ぶことができる。
【図面の簡単な説明】
【００３９】
【図１】本発明の実施形態に係わる実施例を示すもので、食器洗い機の斜視図。
【図２】本発明の実施形態に係わる実施例を示すもので、残滓濾過フィルタと回転扉を上側から見た図。
【図３】本発明の実施形態に係わる実施例を示すもので、図２の（イ）―（イ）断面相当図。
【図４】本発明の実施形態に係わる実施例を示すもので、回転扉の駆動装置を示す図。
【図５】本発明の実施形態に係わる実施例を示すもので、食器洗い機のブロック制御回路図。
【図６】本発明の実施形態に係わる実施例を示すもので、駆動装置の運転制御動作を示す図。
【符号の説明】
【００４０】
２…洗浄槽、４…噴射ノズル体、６…集水部、７…残滓濾過フィルタ、９…仕切壁、２０Ａ，２０Ｂ…残滓捕集室、２４Ａ，２４Ｂ…流入口、２５…回転扉。
【図１】
2006122361.tif 000003
【図２】
2006122361.tif 000004
【図３】
2006122361.tif 000005
【図４】
2006122361.tif 000006
【図５】
2006122361.tif 000007
【図６】
2006122361.tif 000008